(57)【要約】【課題】浴槽エプロンの差込み作業を容易且つ確実に行なうことができ、弾性バネによるガタつき防止機能が十分に発揮される浴槽エプロンの取付構造を提供する。【解決手段】浴槽エプロン４の上端部に、水平突出片９と、水平突出片９から上方に延出されて先端が浴槽フランジ２の第２の垂下片８に当接する立上り延出片１０と、立上り延出片１０にて内方Ｂへの動きが規制された状態で浴槽フランジ２の垂下片７の内側面７ａを外方Ｃに向けて押圧する弾性バネ１１とを設け、垂下片７の内側面７ａと下端面７ｂとのなす内側コーナー部、及び、垂下片７の内側面７ａを押圧する弾性バネ１１の押圧面１１ａをそれぞれ、浴槽エプロン４の上端部の差込方向と略平行に傾斜させた構造である。【選択図】図１
2008206599.tif 000002
【特許請求の範囲】
【請求項１】
浴槽フランジの下面に開口する差込み部に浴槽エプロンの上端部を斜め下方から差し込んだ状態で浴槽エプロンを垂直姿勢にして浴槽エプロンの下端部を洗い場床側に設けたエプロン設置部に固定する浴槽エプロンの取付構造において、上記浴槽フランジの差込み部は、浴槽フランジの端縁から垂下する垂下片と、垂下片から内方に空間スペースをあけて垂下する第２の垂下片とで構成され、浴槽エプロンの上端部には、内方に向けて突出する水平突出片と、水平突出片から上方に延出されて先端が第２の垂下片に当接する立上り延出片と、立上り延出片にて内方への動きが規制された状態で垂下片の内側面を外方に向けて押圧する弾性バネとが設けられ、上記垂下片の内側面と下端面とのなす内側コーナー部、及び、垂下片の内側面を押圧する弾性バネの押圧面をそれぞれ、浴槽エプロンの上端部の差込方向と略平行に傾斜させてなることを特徴とする浴槽エプロンの取付構造。
【請求項２】
上記弾性バネは、水平突出片又は立上り延出片のいずれかに設けた係止孔部に対して抜け止め係止される爪形状の係止部を有していることを特徴とする請求項1記載の浴槽エプロンの取付構造。
【発明の詳細な説明】
【技術分野】
【０００１】
本発明は、浴槽エプロンの取付構造に関し、詳しくは浴槽の外側面を外観良く覆い隠すため浴槽エプロンの取付構造に関するものである。
【背景技術】
【０００２】
従来から図５に示すように、浴槽１の上端縁を構成する浴槽フランジ２の下面に差込み部３を設け、浴槽エプロン４の上端部を下方から差込み部３内に差し込んだ状態で、浴槽エプロン４の下端部を洗い場床６側に設けたエプロン設置部５に固定するようにした構造において、浴槽エプロン４の上端部に設けた立上り延出片１０にゴム、コイルバネ、パッキン等からなる弾性体１１を取り付け、この弾性体１１を浴槽フランジ２の垂下片７の内側面に弾接させることで浴槽フランジ２に対する浴槽エプロン４の上端部のガタつきを防止するようにした取付構造が知られている（例えば、特許文献１〜３参照）。
【０００３】
ところが上記特許文献１〜３に示された従来例では、浴槽エプロン４の上端部を図５の矢印で示す斜め下方Ａから差込み部３に差し込む際に、弾性体１１と垂下片７の下端部との間に無理な引っ掛かりや摩擦が生じて差込みがしにくくなり、特に弾性体１１が変形したり、或いはずれ動いたり損傷した場合は、弾性体１１のバネ力が垂下片７の内側面に直接的に作用しなくなって、ガタつきが発生するという問題も生じる。
【特許文献１】特開２００２−６５４９１号公報
【特許文献２】特開２００２−３３６１５１号公報
【特許文献３】特開２００１−２２４５１９号公報
【発明の開示】
【発明が解決しようとする課題】
【０００４】
本発明は上記の従来の問題点に鑑みて発明したものであって、浴槽エプロンの差込み作業を容易且つ確実に行なうことができ、弾性バネによるガタつき防止機能が十分に発揮される浴槽エプロンの取付構造を提供することを課題とし、さらに浴槽フランジの差込み部の空間スペースが狭い仕様にも十分に対応できる浴槽エプロンの取付構造を提供することを課題とするものである。
【課題を解決するための手段】
【０００５】
前記課題を解決するために本発明は、浴槽フランジ２の下面に開口する差込み部３に浴槽エプロン４の上端部を斜め下方Ａから差し込んだ状態で浴槽エプロン４を垂直姿勢にして浴槽エプロン４の下端部を洗い場床側に固定する浴槽エプロンの取付構造において、上記浴槽フランジ２の差込み部３は、浴槽フランジ２の端縁から垂下する垂下片７と、垂下片７から内方Ｂに空間スペース１４をあけて垂下する第２の垂下片８とで構成され、浴槽エプロン４の上端部には、内方Ｂに向けて突出する水平突出片９と、水平突出片９から上方に延出されて先端が第２の垂下片８に当接する立上り延出片１０と、立上り延出片１０にて内方Ｂへの動きが規制された状態で垂下片７の内側面７ａを外方Ｃに向けて押圧する弾性バネ１１とが設けられ、上記垂下片７の内側面７ａと下端面７ｂとのなす内側コーナー部、及び、垂下片７の内側面７ａを押圧する弾性バネ１１の押圧面１１ａをそれぞれ、浴槽エプロン４の上端部の差込方向と略平行に傾斜させてなることを特徴としている。
【０００６】
このような構成とすることで、浴槽エプロン４の上端部を斜め下方から差し込む際に、浴槽フランジ２の垂下片７の傾斜した内側コーナー部に沿って浴槽エプロン４の弾性バネ１１の傾斜した押圧面１１ａを滑らせるように差し込むことができるので、弾性バネ１１と垂下片７との間で無理な引っ掛かりや摩擦が生じなくなり、浴槽エプロン４の差込み作業を容易且つ確実に行なうことができると共に、弾性バネ１１が変形したり、或いはずれ動いたり、損傷するといった問題もなくなり、この結果、差込み完了状態では弾性バネ１１のバネ力が垂下片７の内側面７ａに確実に作用するようになり、弾性バネ１１によるガタつき防止機能が十分に発揮されるようになる。
【０００７】
また、上記弾性バネ１１は水平突出片９又は立上り延出片１０のいずれかに設けた係止孔部１２に対して抜け止め係止される爪形状の係止部１３を有しているのが好ましく、この場合、爪形状の係止部１３によって弾性バネ１１の抜け防止が図られると共に、弾性バネ１１の取り付け部位として立上り延出片１０を選択した場合は、弾性バネ１１の内方Ｂへの動きを阻止する立上り延出片１０を利用して弾性バネ１１を抜け止め係止でき、この場合、水平突出片９に係止孔部１２を設ける必要がないため、水平突出片９の幅寸法を短くでき、従って、浴槽フランジ２の差込み部３の空間スペース１４が狭い場合にも浴槽エプロン４の上端部の差込みが可能となる。
【発明の効果】
【０００８】
本発明は、浴槽フランジの垂下片の内側コーナー部、及び、垂下片の内側面を押圧する弾性バネの押圧面をそれぞれ、浴槽エプロンの上端部の差込方向と略平行に傾斜させたことにより、浴槽エプロンの差込み作業を容易且つ確実に行なうことができ、弾性バネによるガタつき防止機能が十分に発揮されるものである。
【０００９】
また、弾性バネに水平突出片又は立上り延出片のいずれかに設けた係止孔部に対して抜け止め係止される爪形状の係止部を設けたことにより、弾性バネの確実な抜け防止が図られると共に、弾性バネを立上り延出片に取り付けた場合に水平突出片の幅寸法を短くできる結果、浴槽フランジの差込み部の空間スペースが狭い仕様にも十分に対応できるものである。
【発明を実施するための最良の形態】
【００１０】
以下、本発明を添付図面に示す実施形態に基いて説明する。
【００１１】
システムバスルーム等に設置される浴槽１の上端縁を構成する浴槽フランジ２の下面には、図２に示すように、浴槽フランジ２の外端縁から垂下する垂下片７と、垂下片７から内方に間隔をあけて垂下する第２の垂下片８とが設けられ、この垂下片７と第２の垂下片８との間の空間スペース１４が浴槽エプロン４の差込み部３となっている。
【００１２】
一方、浴槽エプロン４は、例えば合成樹脂材料で構成されており、その上端部から内方Ｂに向けて水平突出片９が突設されており、水平突出片９の先端から上方に向けて側面視逆Ｌ字形の立上り延出片１０が延出されている。これら水平突出片９及び立上り延出片１０は、浴槽エプロン４の上端部の長手方向（図２の紙面に対して垂直方向）の全長に亘って設けられている。
【００１３】
ここで本発明においては、浴槽フランジ２の垂下片７の内側面７ａと下端面７ｂとのなす内側コーナー部にはバネガイド面７ｃが面取り形成されており、浴槽エプロン４の上端部の差込方向（斜め下方Ａ）と略平行に傾斜している。
【００１４】
一方、浴槽エプロン４の水平突出片９の上面側には、水平突出片９の長手方向に間隔をあけて複数の弾性バネ１１が設置されている。弾性バネ１１は垂下片７の内側面７ａを外方Ｃに向けて押圧するものであり、本例の弾性バネ１１は、バネ台座１５と、側面視略逆Ｖ字形のバネ部１６と、爪形状をした複数の係止部１３とが一体に構成されている。ここで、バネ部１６の押圧面１１ａは、上端から下端に行く程外方Ｃに向かって突出するように傾斜している。つまり、浴槽エプロン４の上端部の差込方向（斜め下方Ａ）と略平行に傾斜している。また本例のバネ部１６は、弾性樹脂層１６ａの内面に沿って金属板バネ１６ｂが配置されており、金属板バネ１６ｂの一端は固定部１７にて固定され、他端は突部１８にて摺動可能に保持されており、これら２層構造によって、バネ部１６の弾力性向上と強度向上とが図られている。
【００１５】
また本例では水平突出片９に設けた係止孔部１２に対して、バネ台座１５の下面から突設した爪形状の係止部１３が係合しており、且つこの係合状態でバネ台座１５の内端面が立上り延出片１０に当接しており、これにより、弾性バネ１１の内方Ｂへの動きが立上り延出片１０にて規制されている。
【００１６】
上記構成の浴槽エプロン４を取り付けるにあたっては、浴槽エプロン４の上端部を図１の矢印で示す斜め下方Ａから浴槽フランジ２の差込み部３に差込み、差し込んだ後に、浴槽エプロン４を垂直姿勢にして、浴槽エプロン４の下端部を洗い場床側に固定する。なお、浴槽エプロン４の下端部の固定方法は従来例（図５）の方法でもよく、或いは他の方法でもよく、特に限定されない。
【００１７】
しかして、図１に示す浴槽エプロン４の上端部の差込み時において、垂下片７の面取りされたバネガイド面７ｃに沿って弾性バネ１１の押圧面１１ａを滑らせるように差し込むことができるので、弾性バネ１１と垂下片７間で無理な引っ掛かりや摩擦が生じなくなり、浴槽エプロン４の差込み作業をスムーズに行なえるようになる。しかも、差込み途中で弾性バネ１１が垂下片７の内側コーナー部に擦られて変形したり、或いはずれ動いたり、損傷するといったこともないため、弾性バネ１１のバネ力が垂下片７の内側面７ａに確実に作用するようになり、弾性バネ１１によるガタつき防止機能が十分に発揮されるものとなる。しかも図２に示すように、垂下片７と第２の垂下片８との間で立上り延出片１０と弾性バネ１１とが突っ張った状態となるので、弾性バネ１１のバネ作用により立上り延出片１０の先端は第２の垂下片８に隙間なく押圧密着されるので、浴槽エプロン４の上端部と浴槽フランジ２の第２の垂下片８との間から水などが浸入することもなくなり、防水性を十分に確保できる効果もある。
【００１８】
また、浴槽エプロン４を取り外す際にも、浴槽エプロン４の下端部を洗い場床側に設けたエプロン設置部５から取り外してから、浴槽エプロン４の上端部を斜め下方Ａに取り外すことができ、このとき弾性バネ１１の押圧面１１ａが浴槽フランジ２のバネガイド面７ｃにガイドされることで無理な引っ掛かりや摩擦が生じないために、浴槽エプロン４の取り外しも容易且つスムーズに行なうことができる。
【００１９】
ところで、浴槽１の仕様によっては、浴槽フランジ２の幅寸法が例えば１５ｍｍ以下と小さい場合があり、このような場合、差込み部３の空間スペース１４が狭くなり、上記図１〜図３の実施形態に示す浴槽エプロン４の上端部の差込みができなくなる。そこで、他の実施形態として、図４に示すように、立上り延出片１０に係止孔部１２を設けて、弾性バネ１１を立上り延出片１０に係止させるのが望ましい。他の構成は図1〜図３と同様であり、対応する部分には同一符号を付しておく。しかして、バネガイド面７ｃと弾性バネ１１の押圧面１１ａのそれぞれの傾斜によって浴槽エプロン４の差込み作業をスムーズに且つ良好に行なえる効果に加えて、立上り延出片１０が弾性バネ１１の内方Ｂへの動きを阻止する機能と弾性バネ１１の係止部１３を抜け止め係止させる機能とを有するようになり、従って、水平突出片９に係止孔部１２を設ける必要がないため水平突出片９の幅寸法を短くすることが可能となり、この結果、空間スペース１４が狭い差込み部３にも十分に対応できるようになる。
【図面の簡単な説明】
【００２０】
【図１】本発明の一実施形態であり、浴槽エプロンの上端部を斜め下方から浴槽フランジの差込み部に差し込む場合を説明する側面断面図である。
【図２】同上の浴槽エプロンの上端部を浴槽フランジの差込み部に差し込んだ状態で浴槽エプロンを垂直姿勢にした場合を説明する側面断面図である。
【図３】同上の弾性バネの係止部を説明する背面図である。
【図４】本発明の他の実施形態の説明図である。
【図５】従来例の説明図である。
【符号の説明】
【００２１】
１  浴槽
２  浴槽フランジ
３  差込み部
４  浴槽エプロン
７  垂下片
７ａ  内側面
７ｂ  下端面
７ｃ  バネガイド面
８  第２の垂下片
９  水平突出片
１０  立上り延出片
１１  弾性バネ
１１ａ  押圧面
１２  係止孔部
１３  係止部
Ａ  斜め下方
Ｂ  内方
Ｃ  外方
【図１】
2008206599.tif 000003
【図２】
2008206599.tif 000004
【図３】
2008206599.tif 000005
【図４】
2008206599.tif 000006
【図５】
2008206599.tif 000007